(57)【特許請求の範囲】
【請求項１】
軸方向複数箇所に中心電極を備えた電極軸とこの電極軸の根元に間隔を隔ててその根元の外側に対向配備された円筒状の周辺電極とを備える単頭プラグが相手方コネクタとして用いられ、かつ、上記電極軸の挿入空間を備えた直方体状のボディに、上記挿入空間に挿入された上記電極軸の根元の中心電極を除く残りの他の複数の中心電極に各別に接触する既定接点を備えた複数の既定接片が取り付けられていると共に、上記ボディの前端中央部に円筒状のボス部が突設されてそのボス部により上記挿入空間に連通する挿抜口が形成されており、上記ボス部の外周側の一側に形成された平坦な配備箇所に板片状の第１付加接片が配備され、上記第１付加接片がこの第１付加接片に対応して上記相手方コネクタに設けられている上記周辺電極に接触される第１付加接点を備え、上記第１付加接片には、板片状の第１取付板部が連設され、その第１取付板部が上記ボディの一側部に形成された取付溝部に差し込まれ、第１付加接片が、ボス部の一側に形成された平坦な配備箇所の外面との間に隙間を形成するように、そのボス部の一側に形成された平坦な配備箇所の外面に沿って前向きに延び出ている多極コネクタにおいて、
上記ボス部の内周側に形成された環状の配備箇所に円環状の第２付加接片が配備され、上記第２付加接片がこの第２付加接片に対応して上記相手方コネクタの上記電極軸の根元の中心電極に接触される第２付加接点を備えており、
上記ボス部の周壁の頂部には、このボス部の前端側に幅狭部が位置しこの幅狭部につながる幅広部がこのボス部の後端側に位置する欠除部が具備され、上記第２付加接片は、上記ボス部の内周側にそのボス部の内周面との間に隙間を確保するように嵌合状に配備される円環部を有すると共に、その円環部の周方向の一箇所が分割されてその分割部分で相対向する端部のそれぞれに設けられた一対の外向き舌片を有し、それらの外向き舌片が上記欠除部の幅広部に挿入されていると共に、それらの外向き舌片が上記円環部の拡縮変形に伴って上記幅広部の内部で接近離反方向に変位可能になっており、
かつ、上記第１付加接片配備側とは反対側の上記ボス部の一側部には、ボス部の全長に亘る切欠孔が形成され、上記第１付加接片配備側とは反対側の上記円環部の一側部には、上記切欠孔に嵌合する膨らみ部が形成され、この膨らみ部の後端から外側に向かって板片部が突出され、この板片部の外端から後方に向けて延び出ている取付板部が、第１付加接片の取付溝部とは反対側のボディの一側に形成された取付溝部に差し込まれていることを特徴とする多極コネクタ。
【請求項２】
上記ボス部の周壁の外側部分の一側部を欠除することにより形成された平坦な欠円部が上記第１付加接片の配備箇所として形成され、上記第１付加接点が、上記ボス部の上記欠円部によって形成された欠円空間の内側から外側に向けて突き出ている請求項１に記載した多極コネクタ。
【請求項３】
一対の上記外向き舌片は、上記円環部に挿入された相手方コネクタの電極軸によってその円環部が押し拡げられたときに離反方向に変位することによって上記欠除部の幅狭部と幅広部との境界部分の段付箇所に上記ボス部の軸方向で対向するようになされている請求項１に記載した多極コネクタ。
【請求項４】
３つの上記既定接片と１つずつの第１付加接片及び第２付加接片とによって５つの極数が形成されている請求項１に記載した多極コネクタ。
【請求項５】
３つの上記既定接片のうちの２つの既定接片が上記挿入空間の左右両側に各別に配備されており、残りの１つの既定接片が、上記２つの既定接片のうちの一方の既定接片の前側に配備されている請求項４に記載した多極コネクタ。
【請求項６】
上記残りの１つの既定接片がこの既定接片に連設された取付板部に対して折返し状に形成されていると共に、この既定接片と取付板部とが、上記ボディにその厚さ方向に貫通した取付溝部に配備されている請求項５に記載した多極コネクタ。
【発明の詳細な説明】
【０００１】
【発明の属する技術分野】
本発明は、多極コネクタ、特に軸方向複数箇所に中心電極を備えた電極軸を有する単頭プラグを相手方コネクタとして用いる形状の多極コネクタに関する。
【０００２】
【従来の技術】
単頭プラグの電極軸の挿入空間を備えたボディの上記挿入空間に複数の接片を組み込んだ構造のジャック型の多極コネクタは一般に周知されている。この種の多極コネクタでは、携帯電話や携帯型カセットテープレコーダ、ラジオ受信機などへの用途が開発されている中で、昨今の機器の小型化に対応してその超小型化が要求され、しかも機器の多機能化に対処するためにいっそうの多極化が要求されている。
【０００３】
本発明はこの状況下でなされたものであり、ボディの前面から突出されたボス部を利用して接片を設けることによって極数を増加させることを基本としてなされたものであり、多極コネクタの大形化をできるだけ回避した上で多極コネクタの極数を増加させることを目的とする。
【０００４】
【課題を解決するための手段】
図面を参照して本発明の多極コネクタを説明する。なお、この欄で図中の符号を使用したのは、発明の内容の理解を助けるためであって、内容を図例に限定する意図ではない。
【０００５】
本発明に係る多極コネクタは、軸方向複数箇所に中心電極９２〜９５を備えた電極軸９１とこの電極軸９１の根元に間隔を隔ててその根元の外側に対向配備された円筒状の周辺電極９６とを備える単頭プラグが相手方コネクタ９０として用いられ、かつ、上記電極軸９１の挿入空間１４を備えた直方体状のボディ１０に、上記挿入空間１４に挿入された上記電極軸９１の根元の中心電極９５を除く残りの他の複数の中心電極９２〜９４に各別に接触する既定接点６３，７３，８３を備えた複数の既定接片６０，７０，８０が取り付けられていると共に、上記ボディ１０の前端中央部に円筒状のボス部３０が突設されてそのボス部３０により上記挿入空間１４に連通する挿抜口３７が形成されており、上記ボス部３０の外周側の一側に形成された平坦な配備箇所に板片状の第１付加接片４０が配備され、上記第１付加接片４０がこの第１付加接片４０に対応して上記相手方コネクタ９０に設けられている上記周辺電極９６に接触される第１付加接点４２を備え、上記第１付加接片４０には、板片状の第１取付板部４１が連設され、その第１取付板部４１が上記ボディ１０の一側部に形成された取付溝部１５に差し込まれ、第１付加接片４０が、ボス部３０の一側に形成された平坦な配備箇所の外面との間に隙間Ｓ１を形成するように、そのボス部３０の一側に形成された平坦な配備箇所の外面に沿って前向きに延び出ている多極コネクタにおいて、
上記ボス部３０の内周側に形成された環状の配備箇所に円環状の第２付加接片５０が配備され、この配備箇所に配備された上記第２付加接片５０がこの第２付加接片５０に対応して上記相手方コネクタ９０の上記電極軸９１の根元に具備されている中心電極９５に接触される第２付加接点５８を備えており、
上記ボス部３０の周壁の頂部には、このボス部３０の前端側に幅狭部３２が位置しこの幅狭部３２につながる幅広部３３がこのボス部３０の後端側に位置する欠除部３４が具備され、上記第２付加接片５０は、上記ボス部３０の内周側にそのボス部３０の内周面との間に隙間Ｓ２を確保するように嵌合状に配備される円環部５１を有すると共に、その円環部５１の周方向の一箇所が分割されてその分割部分で相対向する端部のそれぞれに設けられた一対の外向き舌片５２，５３を有し、それらの外向き舌片５２，５３が上記欠除部３４の幅広部３３に挿入されていると共に、それらの外向き舌片５２，５３が上記円環部５１の拡縮変形に伴って上記幅広部３３の内部で接近離反方向に変位可能になっており、
かつ、上記第１付加接片４０配備側とは反対側の上記ボス部３０の一側部には、ボス部の全長に亘る切欠孔３６が形成され、上記第１付加接片４０配備側とは反対側の上記円環部５１の一側部には、膨らみ部５４が形成され、この膨らみ部５４の後端から外側に向かって板片部５５が突出され、この板片部５５の外端から後方に向けて延び出ている取付板部５６が、第１付加接片４０の取付溝部１５とは反対側のボディ１０の一側に形成された取付溝部１７に差し込まれていることを特徴としている。
【０００６】
したがって、ボス部３０の外周側に配備された１つの第１付加接片４０によって１極が確保され、ボス部３０の内周側に配備された１つの第２付加接片５０によって１極が確保され、上記した既定接片６０，７０，８０によって確保されている極数に付け加えられる。また、ボス部３０を利用して設けられる第１付加接片４０の形状が板片状であるので、その第１付加接片４０をリング状ないし円筒状に加工する場合に比べると、形状の小型化を達成しやすくなる。特に、第１付加接片４０をボス部３０の左右の少なくとも一方の側部に形成することができ、そのようにしておくと、第１付加接片４０やその第１付加接点４２がボディ１０の上面の上方や下面の下方に突き出すことがなくなって多極コネクタが背高になることによる大形化を来すことがない。
【０００７】
上記ボス部１０の周壁の外側部分の一側部を欠除することにより形成された平坦な欠円部３１が上記第１付加接片４０の配備箇所として形成されていることが望ましい。これによると、その第１付加接片４０の配備位置をボス部３０の中心に近付けることができ、そのことが多極コネクタの大形化を抑制することに役立つ。また、上記第１付加接点４２が、上記ボス部３０の上記欠円部３１によって形成された欠円空間の内側から外側に向けて突き出ていることが望ましい。これによると、ボディ１０の挿入空間１４に相手方コネクタ９０の電極軸９１を挿入しさえすれば、相手方コネクタの周辺電極９６に第１付加接点４２が必ず接触する。そのため、第１付加接点４２と相手方コネクタ９０の周辺電極９６との接触安定性が向上する。
【０００８】
また、一対の上記外向き舌片５２，５３は、上記円環部５１に挿入された相手方コネクタの電極軸９１によってその円環部５１が押し拡げられたときに離反方向に変位することによって上記欠除部３４の幅狭部３２と幅広部３３との境界部分の段付箇所３５に上記ボス部３０の軸方向で対向するようになされていることが望ましい。これによると、相手方コネクタ９０の電極軸９１を第２付加接片５０の円環部５１に挿入しているときには、第２付加接片５０の円環部５１の一対の外向き舌片５２，５３がボス部３０側の欠除部３４の幅広部３３の中で離反方向に変位して上記段付箇所３５にボス部３０の軸方向で対向した状態になる。そのため、相手方コネクタ９０を引き抜くときに、上記外向き舌片５２，５３が上記段付箇所３５に係合して第２付加接片５０の共抜けを阻止する。
【０００９】
本発明に係る多極コネクタでは、３つの上記既定接片６０，７０，８０と１つずつの第１付加接片４０及び第２付加接片５０とによって５つの極数が形成されている、という構成を採用することができ、これによると、５極を有する多極コネクタを形成することが可能になる。この場合、３つの上記既定接片６０，７０，８０のうちの２つの既定接片６０，７０が上記挿入空間１４の左右両側に各別に配備されており、残りの１つの既定接片８０が、上記２つの既定接片６０，７０のうちの一方の既定接片６０の前側に配備されている、という構成を採用すると、３つの既定接片６０，７０，８０を無理なくボディ１０に取り付けることができるようになり、そのことがボディ１０の大形化を抑制することに役立つ。この作用は、特に、上記残りの１つの既定接片８０がこの既定接片８０に連設された取付板部８１に対して折返し状に形成されていると共に、この既定接片８０と取付板部８１とが、上記ボディ１０にその厚さ方向に貫通した取付溝部２５に配備されている、という構成を採用することによって顕著に発揮される。
【００１０】
【発明の実施の形態】
以下、本発明の実施の一形態を説明する。図１は多極コネクタＡを斜め前方から見た概略斜視図、図２は第１付加接片４０と第１取付板部４１とを示した概略斜視図、図３は既定接片６０の概略斜視図、図４（Ａ）は既定接片７０の概略斜視図、図４（Ｂ）は図４（Ａ）のＩＶＢ矢視図、図５は既定接片８０の概略斜視図、図６は第２付加接片５０の概略斜視図、図７（Ａ）は図６のＶＩＩＡ矢視図、図７（Ｂ）は図６のＶＩＩＢ矢視図、図７（Ｃ）は図６のＶＩＩＣ矢視図、、図８は図１に示した多極コネクタＡの概略水平断面図、図９は多極コネクタの概略正面図、図１０はボディ１０を前端付近で垂直に切断した場合の概略断面図、図１１は相手方コネクタの電極軸を挿入した状態での図１０に対応する概略断面図、図１２は相手方コネクタ９０の側面図である。
【００１１】
図１のように、多極コネクタＡのボディ１０は背低直方体のボックス形に形成されており、その上面１１と下面１２（図９又は図１０参照）とが平坦になっている。ボディ１０の前面１３は横長の平坦面になっており、その前面１３の中央部に、ボディ１０と一体に成形された合成樹脂製のボス部３０が前向きに突出されている。
【００１２】
ボス部３０は、周壁の外側部分の一部を欠除することにより平坦に形成された欠円部３１を備える円筒状に形成されており、その欠円部３１が第１付加接片４０の配備箇所になっている。図例の多極コネクタＡにおいて、円筒状のボス部３０の直径寸法は、ボディ１０の上面１１と下面１２との間隔寸法（ボディ１０の高さ寸法）よりも大きくなっていて、しかも、そのボス部３０の上下の各一部が平坦になるように欠除されてボディ１０の上面１１や下面１２とほゞ面一になっているけれども、この点は、ボス部の上下が円弧状に形成されてその円弧状部分がボディ１０の上下に突き出ていてもよい。
【００１３】
図１又は図９のように、ボス部３０の周方向の一箇所（図例では頂部）に、このボス部３０の前端側に幅狭部３２が位置しこの幅狭部３２につながる幅広部３３がボス部３０の後端側に位置する欠除部３４が具備されている。この欠除部３４において、幅狭部３２と幅広部３３との境界部分には段付箇所３５が具備されている。また、ボス部３０の左側部分にはボス部３０の全長に亘る切欠孔３６が形成されている。
【００１４】
同図に示したように、ボディ１０には相手方コネクタ（後述する）９０の電極軸９１が挿入される挿入空間１４が形成されているのに対し、ボス部３０にはその挿入空間１４に連通する挿抜口３７が形成されており、上記挿入空間１４はボディ１０の後端で開口している。
【００１５】
図１、図９、図１０のように、ボディ１０の前部右側にはボディ１０の厚さ方向に貫通した取付溝部１５が形成されているのに対し、ボディ１０の上面１１には、上記取付溝部１５につながった凹所１６が形成されている。また、図９又は図１０のように、ボディ１０の前端付近の左側部分には、その下面で開口して上方に延びる取付溝部１７が形成されている。さらに図８のように、ボディ１０には、上記挿入空間１４を挟む左右両側に、後端で開放する取付溝部１８，１９がそれぞれ形成されていると共に、ボディ１０の上面１１の後端近傍箇所に係合突起２１（図１参照）が形成されている。ボディ１０の下面１２にも同様に係合突起（不図示）が形成されている。
【００１６】
図２のように、第１付加接片４０は細長い板片状に形成されており、その先端部に外側へ膨出した球面状の第１付加接点４２が形成されていると共に、その第１付加接片４０に板片状の第１取付板部４１が連設されている。第１取付板部４１には、その上縁に係止片４３が折曲げ形成され、かつ、その下縁に半田付け端子４４が折曲げ形成されている。図１又は図８によって類推できるように、第１付加接片４０は、第１取付板部４１をボディ１の右側に形成された取付溝部１５に前側から差し込むことによりその取付溝部１５に固定される。この場合、第１取付板部４１に具備させてある係止爪４５（図２参照）が、取付溝部１５の溝壁に係合して取付溝部１５からの抜出しを防ぐ。この取付状態では、図１又は図８のように、第１付加接片４０が、ボス部３０の欠円部３１の平坦な外面に沿って前向きに延び出し、しかも、その欠円部３１の平坦な外面との間に隙間Ｓ１を形成している。また、第１付加接点４２が、ボス部３０の欠円部３１によって形成された欠円空間の内側から外側に向けて突き出ている。上記隙間Ｓ１は、第１付加接片４０の内方への変位を吸収することに役立つ。第１取付板部４１に設けられている半田付け端子４４は、図１又は図８のようにボディ１０の下側から側方に突き出されている。
【００１７】
上記のように第１付加接片４０をボス部３０の欠円部３１の平坦な外面に沿って前向きに延び出すように配備しておくと、第１付加接片４０をボス部３０の中心に近付けて配備しておくことが可能になる。
【００１８】
図１において、５０は第２付加接片である。図６及び図７（Ａ）（Ｂ）（Ｃ）のように、第２付加接片５０は円環部５１を有し、自然状態の円環部５１の内径は図１１に示した相手方コネクタ９０の電極軸９１の根元の外径よりもやゝ小さくなっている。また、円環部５１は周方向の一箇所が分割されてその分割部分で対向する一対の端部のそれぞれに外向き舌片５２，５３が折り曲げた状態で一体に設けられている。そして、第２付加接片５０をボス部３０に配備する前においては、一対の外向き舌片５２，５３は、接近方向に変位させなくても上記欠除部３４の幅狭部３２に挿入し得る状態で対向している。円環部５１の左側部分には膨らみ部５４が形成されており、この膨らみ部５４の後端から外側に向かって板片部５５が突出され、この板片部５５の外端から後方に向けて取付板部５６が延び出ていて、この取付板部５６に係合爪５７が備わっている。なお、５８，５８は円環部５１の２箇所に設けられた第２付加接点、５９は取付板部５６に連設された半田付け端子である。
【００１９】
第２付加接片５０はボス部３０の内周側に前側から嵌め込まれる。すなわち、図８のように、取付板部５６をボディ１０に形成されている取付溝部１７に差し込み、かつ、円環部５１の膨らみ部５４をボス部３０の切欠孔３６に少し嵌めると共に、一対の外向き舌片５２，５３をボス部３０の欠除部３４の幅狭部３２に少し嵌め、その状態から第２付加接片５０を後方に押して円環部５１をボス部３０に嵌合させる。このようにすると、膨らみ部５４が切欠孔３６に完全に嵌まり、また、一対の外向き舌片５２，５３が欠除部３４の幅広部３３に嵌まり込む。また、取付板部５６は取付溝部１７に押し込まれ、係合爪５７がボディ１０側の係合凹所２４に係合する。このため、円環部５１がボス部３０の内周側に嵌合状に配備された第２付加接片５０は、係合爪５７と係合凹所２４との係合によってボス部３０からの脱落が阻止される。この取付状態において、円環部５１とボス部３０の内周面との間には図９に示した隙間Ｓ２が確保されており、この隙間Ｓ２によって円環部５１の拡径が可能になる。また、半田付け端子５９は、図８のようにボディ１０の下側から側方に突き出されている。
【００２０】
このようにしてボス部３０に第２付加接片５０を組み付けた状態では、図１のように一対の外向き舌片５２，５３が欠除部３４の幅広部３３の壁面から離れており、しかも幅狭部３２に対向している。この状態からたとえば図１１のように相手方コネクタ９０の電極軸９１が円環部５１に挿入されると、円環部５１が電極軸９１により押し拡げられ、それに伴って図１に示した一対の外向き舌片５２，５３が欠除部３４の幅広部３３の中で相互に離反方向に変位し、幅狭部３２と幅広部３３との境界部分の段付箇所３５にボス部３０の軸方向で対向する。このため、相手方コネクタ９０の電極軸９１を引き抜くときには、外向き舌片５２，５３が上記段付箇所３５に係合して共抜けを阻止する。
【００２１】
第２付加接片５０の円環部５１は、相手方コネクタ９０の挿抜が繰り返されることにより塑性変形して少し拡径し、そのような塑性変形により一対の外向き舌片５２，５３が上記段付箇所３５に常時対向するようになる。
【００２２】
図８のように、ボディ１０に形成されている挿入空間１４に臨んで３つの既定接片６０，７０，８０が配備されている。これらの既定接片のうち、２つの既定接片６０，７０が挿入空間１４の左右両側に各別に配備されており、残りの１つの既定接片８０が、既定接片６０の前側に配備されている。
【００２３】
図３〜図５に各既定接片６０，７０，８０を示してある。
【００２４】
図３に示した既定接片６０は、取付板部６１に対してその前端部から折返し状に形成されている。また、既定接片６０には既定接点６３が設けられ、取付板部６１には半田付け端子６２が連設されている。さらに、取付板部６１に折曲げ形成された突片６４によって、既定接片６０の過変位による破損を防ぎ得るようになっている。この既定接片６０は、取付板部６１をボディ１０の取付溝部１８に後方から差し込むことによってボディ１０に取り付けられ、その取付状態では図８のように既定接片６０の既定接点６３が挿入空間１４の内方へ突き出ている。また、図例の多極コネクタでは、既定接片６０の先端部に可動接点６５を形成し、この可動接点６５の相手方となる固定接点６６をボディ１０の後端部に配備してある。既定接片６０側の半田付け端子６２や固定接点６６に連設されている半田付け端子６６はボディ１０の下側から側方や後方に突き出されている。
【００２５】
図４に示した既定接片７０は、取付板部７１に対してその前端部から折返し状に形成されている。また、既定接片７０には既定接点７３が設けられ、取付板部７１には半田付け端子７２が連設されている。さらに、取付板部７１に折曲げ形成された突片７４によって、既定接片７０の過変位による破損を防ぎ得るようになっている。この既定接片７０は、取付板部７１をボディ１０の取付溝部１９に後方から差し込むことによってボディ１０に取り付けられ、その取付状態では図８のように既定接片７０の既定接点７３が挿入空間１４の内方へ突き出ている。また、図例の多極コネクタでは、既定接片７０の先端部に可動接点７５を形成し、この可動接点７５の相手方となる固定接点７６をボディ１０に配備してある。既定接片７０側の半田付け端子７２や固定接点７６に連設されている半田付け端子７６はボディ１０の下側から側方や後方に突き出されている。
【００２６】
図５に示した既定接片８０は、取付板部８１に対してその上端部から折返し状に形成されている。また、既定接片８０には湾曲状に曲がった部分に既定接点８３が設けられ、取付板部８１には半田付け端子８２が連設されている。図１０のように、この既定接片８０は、ボディ１０の前端部付近で厚さ方向に貫通して設けられた取付溝部２５に取付板部８１を下方から差し込むことによってボディ１０に取り付けられ、その取付状態では図８のように既定接点８３が挿入空間１４の内方に突き出ている。既定接片８０側の半田付け端子８２はボディ１０の下側から側方や後方に突き出されている。
【００２７】
図１２に示したように、相手方コネクタ９０は、その電極軸９１に、第１〜第４の４つの中心電極９２，９３，９４，９５が備わり、それらが軸方向に並んでいる。そして、上記した１つの既定接片６０に第１極目の中心電極９２が、他の１つの既定接片７０に第２極目の中心電極９３が、さらに他の１つの既定接片８０に第３極目の中心電極９４が、それぞれ対応していると共に、第２付加接片５０に電極軸９１の根元の第４極目の中心電極９５が対応している。また、この相手方コネクタ９０は、電極軸９１の根元に対向して電極軸９１と同心に設けられた円筒状の周辺電極９６を有しており、この周辺電極９６が第１付加接片４０に対応している。
【００２８】
以上説明した多極コネクタＡにおいて、図１１のように、ボス部３０の挿抜口３７（図１又は図９参照）を通してボディ１０側の挿入空間１４に相手方コネクタ９０の電極軸９１を挿入すると、３つの既定接片６０，７０，８０の各既定接点６３，７３，８３に電極軸９１の第１極目から第３極目の各中心電極９２，９３，９４が各別に弾接する。併せて、第１付加接片４０の第１付加接点４２が相手方コネクタ９０の周辺電極９６に接触し、第２付加接片５０の第２付加接点５８（図９参照）が相手方コネクタ９０の電極軸９１の根元に位置している第４極目の中心電極９５に弾接する。このことから明らかなように、図例の多極コネクタＡにおいては、ボディ１０の挿入空間１４に組み付けられている３つの既定接片６０，７０，８０によって３極が確保される他に、ボス部３０の欠円部３１に配備されている第１付加接片４０によって１極が確保され、さらにボス部３０の内周側に配備されている第２付加接片５０によっても１極が確保されて全体では５極になる。
【００２９】
また、相手方コネクタ９０の周辺電極９６が円筒状になっているので、第１付加接片４０が細長い板片状であるとしても、挿入空間１４に相手方コネクタ９０の電極軸９１を挿入しさえすれば、その周辺電極９６に第１付加接点４２が必ず弾接する。しかも、第１付加接点４２と周辺電極９６との接触状態は、第１付加接点４２が弾性を備える板片状の第１付加接片４０の先端部に形成されているので安定しており、しかもその信頼性も高いものになる。
【００３０】
【発明の効果】
本発明によれば、極数の増加に寄与し得る、第１付加接片４０をボス部３０の外周側に、第２付加接片５０をボス部３０の内周側に、配備してあるので、当該多極コネクタの厚さを厚くせずにその多極化を図ることが可能である。しかも、第１付加接片４０の形状を板片状にしたことにより、その第１付加接片４０自体の形状が従来のリング状ないし円筒状のものに比べて格段に小型化され、そのことが当該多極コネクタを小型化することに顕著に役立つ利点がある。また、ボス部３０に形成した欠円部３１を活用して第１付加接片４０を配備したものでは、ボス部３０の小型化が図られると同時に、そのボス部３０の小型化により生じた余剰のスペースが第１付加接片４０の配備スペースとして活用されるので、第１付加接片４０を用いて極数を増加させたにもかかわらず、多極コネクタ全体の形状が大きくならないという効果がある。
【図面の簡単な説明】
【図１】本発明に係る多極コネクタを斜め前方から見た概略斜視図である。
【図２】第１付加接片と第１取付板部とを示した概略斜視図である。
【図３】既定接片の概略斜視図である。
【図４】（Ａ）は他の既定接片の概略斜視図、（Ｂ）は図４（Ａ）のＩＶＢ矢視図である。
【図５】さらに他の既定接片の概略斜視図である。
【図６】第２付加接片の概略斜視図である。
【図７】（Ａ）は図６のＶＩＩＡ矢視図、（Ｂ）は図６のＶＩＩＢ矢視図、（Ｃ）は図６のＶＩＩＣ矢視図である。
【図８】図１に示した多極コネクタの概略水平断面図である。
【図９】多極コネクタの概略正面図である。
【図１０】多極コネクタをボディの前端付近で垂直に切断した場合の概略断面図である。
【図１１】挿入空間に相手方コネクタの電極軸を挿入した状態での図１０に対応する概略断面図である。
【図１２】相手方コネクタの側面図である。
【符号の説明】
Ａ  多極コネクタ
１０  ボディ
１４  挿入空間
１５  取付溝部
２５  取付溝部
３０  ボス部
３１  欠円部
３２  幅狭部
３３  幅広部
３４  欠除部
３５  段付箇所
３７  挿抜口
４０  第１付加接片
４１  第１取付板部
４２  第１付加接点
５０  第２付加接片
５２，５３  外向き舌片
５８  第２付加接点
６０，７０，８０  既定接片
６３，７３，８３  既定接点
８１  取付板部
９０  相手方コネクタ
９１  電極軸
９２，９３，９４，９５  中心電極
９６  周辺電極
【図１】
0003546162.tif 000002
【図２】
0003546162.tif 000003
【図３】
0003546162.tif 000004
【図４】
0003546162.tif 000005
【図５】
0003546162.tif 000006
【図６】
0003546162.tif 000007
【図７】
0003546162.tif 000008
【図８】
0003546162.tif 000009
【図９】
0003546162.tif 000010
【図１０】
0003546162.tif 000011
【図１１】
0003546162.tif 000012
【図１２】
0003546162.tif 000013